(57)【特許請求の範囲】
【請求項１】
本体を含み、前記本体の中には作動空間が設けられ、前記作動空間の中には昇降機構が設けられ、前記昇降機構は前記本体の下側に設置された密封板を含み、前記作動空間の左右端壁の中には下方に開口した伸縮溝が二つ形成され、前記伸縮溝の中には移動ロッドが上下に移動できるように設けられ、前記移動ロッドの下端面には前記密封板が固定され、前記移動ロッドの上端面と前記伸縮溝の上端壁には伸縮ばねが連結され、左側の前記移動ロッドの上端面には細紐が連結され、前記密封板は変圧器タンクを密封でき、本願発明装置が変圧器タンクを検査することに便利であり、
前記昇降機構の上側には警報機構が設けられ、前記警報機構は移動ブロックを含み、前記作動空間の後端壁には前方に開口した移動溝が形成され、前記移動溝の中には移動ブロックが左右に移動できるように設けられ、前記移動ブロックの左端面と前記移動溝の左端壁との間には伸縮ばねが連結され、前記移動ブロックの左端面には細紐が連結され、前記移動ブロックの下端面には押し動かしロッドが固定され、前記押し動かしロッドの左端面には載置ロッドが固定され、前記載置ロッドの左端面にはプラグが固定され、前記押し動かしロッドが左右に移動することで変圧器タンクから油が漏れているかいないかを検知でき、
前記警報機構の左側には空気充填機構が設けられ、前記空気充填機構は前記作動空間の後端壁に固定された仕切り板を含み、前記作動空間の下端壁には空芯ロッドが固定され、前記空芯ロッドの中には空気充填口が設けられ、前記空芯ロッドの上端にはエアバックが連結され、前記エアバックの右側には押し潰し板が設けられ、前記押し潰し板が左方へ移動し前記仕切り板に近づくと、前記エアバックを潰すことができ、これによって前記エアバックの中の空気が前記空気充填口を通ることができることを特徴とする変圧器タンク用油漏れ検査装置。
【請求項２】
前記昇降機構は前記作動空間の下端壁に固定された連通ブロックを含み、前記連通ブロックの中には連通溝が上下に貫通するように形成され、前記連通溝の左端壁には右方に開口した収納溝が形成され、前記収納溝の後端壁には回転軸が回転できるように設けられ、前記回転軸には回転溝が固定的に形成され、前記収納溝の後側にはベルト空間が設けられ、前記回転軸には第一プーリーが固定され、前記回転軸と前記ベルト空間の前端壁との間には回転トーションバネが設けられ、前記第一プーリーにはベルトが巻き付いており、前記回転溝が水平状態にある時に空気が前記連通溝を通ることができなく、前記作動空間の後端壁には仕切りロッド溝が形成され、前記仕切りロッド溝の中には仕切りロッドが上下に移動できるように設けられ、前記仕切りロッドの左端面にはラックが固定され、前記仕切りロッドの下端面と前記仕切りロッド溝の下端壁との間には押しばねが連結され、前記作動空間の後端壁には伝動軸が回転できるように設けられ、前記伝動軸においては後方から前方まで順次に接触歯車と第二プーリーとが固定され、前記第二プーリーには前記ベルトが巻き付いており、前記接触歯車が前記ラックと噛み合っていることを特徴とする請求項１に記載の変圧器タンク用油漏れ検査装置。
【請求項３】
前記警報機構は前記作動空間の後端壁に固定された固定ブロックを含み、前記固定ブロックの中には貫通溝が上下に貫通するように形成され、前記貫通溝の左端壁には右方に開口した復帰溝が形成され、前記貫通溝の右端壁にはスライド溝が貫通するように形成され、前記スライド溝の中にはスライドブロックと力受けブロックとが左右に移動できるように設けられ、前記スライドブロックが前記力受けブロックの左側に設置され、前記スライドブロックと前記力受けブロックとの間には連結ばねが設けられ、前記スライドブロックの左端面と前記復帰溝の左端壁との間には復帰ばねが設けられ、前記復帰溝の上端壁には伝動溝が貫通するように形成され、前記伝動溝の中には押しブロックが上下に移動できるように設けられ、前記押しブロックの上端面には伝動ロッドが固定され、前記伝動ロッドの上端面には載置板が固定され、前記載置板の下端面と前記固定ブロックの上端面とには接触ばねが連結され、前記載置板の上端面にはスピーカーとコンセントとが固定され、前記スピーカーが前記コンセントの左側に設置され、前記スピーカーと前記コンセントとの間には電線が連結されていることを特徴とする請求項１に記載の変圧器タンク用油漏れ検査装置。
【請求項４】
前記空気充填機構は載置ブロックを含み、前記作動空間の後端壁には縦溝が形成され、前記縦溝の中には前記載置ブロックが上下に移動できるように設けられ、前記載置ブロックの上端面には前記細紐が連結され、前記載置ブロックの下端面にはモーターが固定され、前記モーターの下端面にはモーター軸が回転できるように設けられ、前記モーター軸にはモーター傘歯車が固定され、前記作動空間の上端壁には下方に開口した回転溝が形成され、前記回転溝の中には従動軸が回転できるように設けられ、前記従動軸と前記回転溝との間には復帰トーションバネが設けられ、前記従動軸においては上方から下方まで順次に伝動傘歯車と伝動歯車とが固定され、前記伝動傘歯車は前記伝動傘歯車と噛合でき、前記作動空間の後端壁には横溝が形成され、前記横溝の中には横ラックが左右に移動できるように設けられ、前記横ラックの右端面には細線が連結され、前記横ラックの下端面には前記押し潰し板が固定されていることを特徴とする請求項１に記載の変圧器タンク用油漏れ検査装置。
【請求項５】
前記連結ばねの弾性力は前記復帰ばねの弾性力より大きいことを特徴とする請求項３に記載の変圧器タンク用油漏れ検査装置。
【発明の詳細な説明】
【技術分野】
【０００１】
本願発明は変圧器タンク検査分野を取り上げて、具体的には変圧器タンク用油漏れ検査装置である。
【背景技術】
【０００２】
変圧器は電磁誘導を利用して交流電圧を昇降させる装置である。主な部品は一次コイル、二次コイル、鉄心（磁芯）である。主な機能は電圧交換、電流交換、インピーダンス交換、隔離、電圧安定化（磁気飽和変圧器）などである。用途から分けて見ると、電力変圧器と特殊変圧器（電気炉変圧器、整流変圧器、ａｃ検査変圧器、電圧調整器、鉱業変圧器、音声周波変圧器、中間周波変成器、高周波変成器、インパルス変圧器、計器用変成器、電子回路用変成器、電気リアクトルなど）の二種類がある。変圧器の中には変圧器タンクが設置され、変圧器タンクは有効に変圧器を冷却できる。変圧器タンクから油が漏れてしまうと、恐ろしい結果をもたらす。
【先行技術文献】
【特許文献】
【０００３】
【特許文献１】中国特許出願公開第１０５３７２０１４号明細書
【発明の概要】
【発明が解決しようとする課題】
【０００４】
本願発明が解決したい技術問題は、変圧器タンク用油漏れ検査装置を提供し、水で検査することで水資源が浪費することや、検査しないと大きな問題があるかもしれない問題を解決することである。
【課題を解決するための手段】
【０００５】
上記の課題を解決するため、本願発明は以下の技術プランを採用する：本願発明の変圧器タンク用油漏れ検査装置は、本体を含み、前記本体の中には作動空間が設けられ、前記作動空間の中には昇降機構が設けられ、前記昇降機構は前記本体の下側に設置された密封板を含み、前記作動空間の左右端壁の中には下方に開口した伸縮溝が二つ形成され、前記伸縮溝の中には移動ロッドが上下に移動できるように設けられ、前記移動ロッドの下端面には前記密封板が固定され、前記移動ロッドの上端面と前記伸縮溝の上端壁には伸縮ばねが連結され、左側の前記移動ロッドの上端面には細紐が連結され、前記密封板は変圧器タンクを密封でき、本願発明装置が変圧器タンクを検査することに便利であり、
前記昇降機構の上側には警報機構が設けられ、前記警報機構は移動ブロックを含み、前記作動空間の後端壁には前方に開口した移動溝が形成され、前記移動溝の中には移動ブロックが左右に移動できるように設けられ、前記移動ブロックの左端面と前記移動溝の左端壁との間には伸縮ばねが連結され、前記移動ブロックの左端面には細紐が連結され、前記移動ブロックの下端面には押し動かしロッドが固定され、前記押し動かしロッドの左端面には載置ロッドが固定され、前記載置ロッドの左端面にはプラグが固定され、前記押し動かしロッドが左右に移動することで変圧器タンクから油が漏れているかいないかを検知でき、
前記警報機構の左側には空気充填機構が設けられ、前記空気充填機構は前記作動空間の後端壁に固定された仕切り板を含み、前記作動空間の下端壁には空芯ロッドが固定され、前記空芯ロッドの中には空気充填口が設けられ、前記空芯ロッドの上端にはエアバックが連結され、前記エアバックの右側には押し潰し板が設けられ、前記押し潰し板が左方へ移動し前記仕切り板に近づくと、前記エアバックを潰すことができ、これによって前記エアバックの中の空気が前記空気充填口を通ることができる。
【０００６】
優選の技術プランとして、前記昇降機構は前記作動空間の下端壁に固定された連通ブロックを含み、前記連通ブロックの中には連通溝が上下に貫通するように形成され、前記連通溝の左端壁には右方に開口した収納溝が形成され、前記収納溝の後端壁には回転軸が回転できるように設けられ、前記回転軸には回転溝が固定的に形成され、前記収納溝の後側にはベルト空間が設けられ、前記回転軸には第一プーリーが固定され、前記回転軸と前記ベルト空間の前端壁との間には回転トーションバネが設けられ、前記第一プーリーにはベルトが巻き付いており、前記回転溝が水平状態にある時に空気が前記連通溝を通ることができなく、前記作動空間の後端壁には仕切りロッド溝が形成され、前記仕切りロッド溝の中には仕切りロッドが上下に移動できるように設けられ、前記仕切りロッドの左端面にはラックが固定され、前記仕切りロッドの下端面と前記仕切りロッド溝の下端壁との間には押しばねが連結され、前記作動空間の後端壁には伝動軸が回転できるように設けられ、前記伝動軸においては後方から前方まで順次に接触歯車と第二プーリーとが固定され、前記第二プーリーには前記ベルトが巻き付いており、前記接触歯車が前記ラックと噛み合っている。
【０００７】
優選の技術プランとして、前記警報機構は前記作動空間の後端壁に固定された固定ブロックを含み、前記固定ブロックの中には貫通溝が上下に貫通するように形成され、前記貫通溝の左端壁には右方に開口した復帰溝が形成され、前記貫通溝の右端壁にはスライド溝が貫通するように形成され、前記スライド溝の中にはスライドブロックと力受けブロックとが左右に移動できるように設けられ、前記スライドブロックが前記力受けブロックの左側に設置され、前記スライドブロックと前記力受けブロックとの間には連結ばねが設けられ、前記スライドブロックの左端面と前記復帰溝の左端壁との間には復帰ばねが設けられ、前記復帰溝の上端壁には伝動溝が貫通するように形成され、前記伝動溝の中には押しブロックが上下に移動できるように設けられ、前記押しブロックの上端面には伝動ロッドが固定され、前記伝動ロッドの上端面には載置板が固定され、前記載置板の下端面と前記固定ブロックの上端面とには接触ばねが連結され、前記載置板の上端面にはスピーカーとコンセントとが固定され、前記スピーカーが前記コンセントの左側に設置され、前記スピーカーと前記コンセントとの間には電線が連結されている。
【０００８】
優選の技術プランとして、前記空気充填機構は載置ブロックを含み、前記作動空間の後端壁には縦溝が形成され、前記縦溝の中には前記載置ブロックが上下に移動できるように設けられ、前記載置ブロックの上端面には前記細紐が連結され、前記載置ブロックの下端面にはモーターが固定され、前記モーターの下端面にはモーター軸が回転できるように設けられ、前記モーター軸にはモーター傘歯車が固定され、前記作動空間の上端壁には下方に開口した回転溝が形成され、前記回転溝の中には従動軸が回転できるように設けられ、前記従動軸と前記回転溝との間には復帰トーションバネが設けられ、前記従動軸においては上方から下方まで順次に伝動傘歯車と伝動歯車とが固定され、前記伝動傘歯車は前記伝動傘歯車と噛合でき、前記作動空間の後端壁には横溝が形成され、前記横溝の中には横ラックが左右に移動できるように設けられ、前記横ラックの右端面には細線が連結され、前記横ラックの下端面には前記押し潰し板が固定されている。
【０００９】
優選の技術プランとして、前記連結ばねの弾性力は前記復帰ばねの弾性力より大きい。
【発明の効果】
【００１０】
本願発明の有益効果は：本願発明装置は操作が簡単である。密封板で変圧器タンクの口を塞いだ後、モーターを起動し、下方へ本願発明装置を押すだけで、変圧器タンク内に空気を充填できる。変圧器タンクから油が漏れていない場合、本願発明装置は警報を出さない。油が漏れている場合、本願発明装置は警報を出す。密封が完全的ではない場合、モーターが空転し、操作員は検査失敗のことを知ることができる。
【図面の簡単な説明】
【００１１】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の変圧器タンク用油漏れ検査装置の全体断面の正面構成略図
【図２】図２は図１のＡの拡大略図
【図３】図３は図１のＢ―Ｂ方向の略図
【図４】図４は図２のＣ―Ｃ方向の略図
【発明を実施するための形態】
【００１３】
図１〜４を参照し、本願発明の変圧器タンク用油漏れ検査装置は、本体１３を含み、前記本体１３の中には作動空間６９が設けられ、前記作動空間６９の中には昇降機構７０が設けられ、前記昇降機構７０は前記本体１３の下側に設置された密封板１１を含み、前記作動空間６９の左右端壁の中には下方に開口した伸縮溝１６が二つ形成され、前記伸縮溝１６の中には移動ロッド１２が上下に移動できるように設けられ、前記移動ロッド１２の下端面には前記密封板１１が固定され、前記移動ロッド１２の上端面と前記伸縮溝１６の上端壁には伸縮ばね１５が連結され、左側の前記移動ロッド１２の上端面には細紐１４が連結され、前記密封板１１は変圧器タンクを密封でき、本願発明装置が変圧器タンクを検査することに便利であり、
前記昇降機構７０の上側には警報機構７１が設けられ、前記警報機構７１は移動ブロック３４を含み、前記作動空間６９の後端壁には前方に開口した移動溝３２が形成され、前記移動溝３２の中には移動ブロック３４が左右に移動できるように設けられ、前記移動ブロック３４の左端面と前記移動溝３２の左端壁との間には伸縮ばね３３が連結され、前記移動ブロック３４の左端面には細紐３１が連結され、前記移動ブロック３４の下端面には押し動かしロッド３６が固定され、前記押し動かしロッド３６の左端面には載置ロッド３５が固定され、前記載置ロッド３５の左端面にはプラグ３７が固定され、前記押し動かしロッド３６が左右に移動することで変圧器タンクから油が漏れているかいないかを検知でき、
前記警報機構７１の左側には空気充填機構７２が設けられ、前記空気充填機構７２は前記作動空間６９の後端壁に固定された仕切り板１８を含み、前記作動空間６９の下端壁には空芯ロッド５１が固定され、前記空芯ロッド５１の中には空気充填口５０が設けられ、前記空芯ロッド５１の上端にはエアバック１７が連結され、前記エアバック１７の右側には押し潰し板１０が設けられ、前記押し潰し板１０が左方へ移動し前記仕切り板１８に近づくと、前記エアバック１７を潰すことができ、これによって前記エアバック１７の中の空気が前記空気充填口５０を通ることができる。
【００１４】
前記昇降機構７０は前記作動空間６９の下端壁に固定された連通ブロック４２を含み、前記連通ブロック４２の中には連通溝４３が上下に貫通するように形成され、前記連通溝４３の左端壁には右方に開口した収納溝４１が形成され、前記収納溝４１の後端壁には回転軸４５が回転できるように設けられ、前記回転軸４５には回転溝４４が固定的に形成され、前記収納溝４１の後側にはベルト空間６７が設けられ、前記回転軸４５には第一プーリー６６が固定され、前記回転軸４５と前記ベルト空間６７の前端壁との間には回転トーションバネ４６が設けられ、前記第一プーリー６６にはベルト４７が巻き付いており、前記回転溝４４が水平状態にある時に空気が前記連通溝４３を通ることができなく、前記作動空間６９の後端壁には仕切りロッド溝７６が形成され、前記仕切りロッド溝７６の中には仕切りロッド３９が上下に移動できるように設けられ、前記仕切りロッド３９の左端面にはラック４０が固定され、前記仕切りロッド３９の下端面と前記仕切りロッド溝７６の下端壁との間には押しばね７６が連結され、前記作動空間６９の後端壁には伝動軸４８が回転できるように設けられ、前記伝動軸４８においては後方から前方まで順次に接触歯車６８と第二プーリー４９とが固定され、前記第二プーリー４９には前記ベルト４７が巻き付いており、前記接触歯車６８が前記ラック４０と噛み合っている。
【００１５】
前記警報機構７１は前記作動空間６９の後端壁に固定された固定ブロック５２を含み、前記固定ブロック５２の中には貫通溝６１が上下に貫通するように形成され、前記貫通溝６１の左端壁には右方に開口した復帰溝６５が形成され、前記貫通溝６１の右端壁にはスライド溝６４が貫通するように形成され、前記スライド溝６４の中にはスライドブロック６２と力受けブロック３８とが左右に移動できるように設けられ、前記スライドブロック６２が前記力受けブロック３８の左側に設置され、前記スライドブロック６２と前記力受けブロック３８との間には連結ばね６３が設けられ、前記スライドブロック６２の左端面と前記復帰溝６５の左端壁との間には復帰ばね５３が設けられ、前記復帰溝６５の上端壁には伝動溝７７が貫通するように形成され、前記伝動溝７７の中には押しブロック５４が上下に移動できるように設けられ、前記押しブロック５４の上端面には伝動ロッド５５が固定され、前記伝動ロッド５５の上端面には載置板５７が固定され、前記載置板５７の下端面と前記固定ブロック５２の上端面とには接触ばね５６が連結され、前記載置板５７の上端面にはスピーカー５８とコンセント６０とが固定され、前記スピーカー５８が前記コンセント６０の左側に設置され、前記スピーカー５８と前記コンセント６０との間には電線５９が連結されている。
【００１６】
前記空気充填機構７２は載置ブロック３０を含み、前記作動空間６９の後端壁には縦溝２９が形成され、前記縦溝２９の中には前記載置ブロック３０が上下に移動できるように設けられ、前記載置ブロック３０の上端面には前記細紐１４が連結され、前記載置ブロック３０の下端面にはモーター２４が固定され、前記モーター２４の下端面にはモーター軸２３が回転できるように設けられ、前記モーター軸２３にはモーター傘歯車２２が固定され、前記作動空間６９の上端壁には下方に開口した回転溝２５が形成され、前記回転溝２５の中には従動軸２７が回転できるように設けられ、前記従動軸２７と前記回転溝２５との間には復帰トーションバネ２６が設けられ、前記従動軸２７においては上方から下方まで順次に伝動傘歯車２１と伝動歯車２０とが固定され、前記伝動傘歯車２１は前記伝動傘歯車２２と噛合でき、前記作動空間６９の後端壁には横溝１９が形成され、前記横溝１９の中には横ラック８０が左右に移動できるように設けられ、前記横ラック８０の右端面には細線３１が連結され、前記横ラック８０の下端面には前記押し潰し板１０が固定されている。
【００１７】
前記連結ばね６３の弾性力は前記復帰ばね５３の弾性力より大きい。
【００１８】
本願発明装置全体の機械作動順序は以下の通り：
（１）本願発明装置を変圧器タンクの上側に置き、モーター２４を起動し、密封板１１で変圧器タンクの口を塞ぎ、モーター２４を起動し、手で本体１３を下方へ押し、密封板１１を本体１３に近づけ、移動ロッド１２が密封板１１とともに移動し、移動ロッド１２が上方へ移動し、細紐１３が緩み、載置ブロック３０が重力を受けて下方へ移動し、載置ブロック３０がモーター２４を下方へ駆動し移動させ、モーター２４がモーター軸２３によってモーター傘歯車２２を下方へ駆動し移動させ、モーター傘歯車２２が下方へ移動し伝動傘歯車２１と噛み合う。
（２）モーター２４がモーター軸２３によってモーター傘歯車２２を駆動し回転させ、モーター傘歯車２２との噛合によって伝動傘歯車２１が駆動されて回転し、伝動傘歯車２１が従動軸２７によって伝動歯車２０を駆動し回転させ、伝動歯車２０との噛合によって横ラック８０が駆動されて左方へ移動し、横ラック８０が押し潰し板１０を駆動し左方へ移動させ、押し潰し板１０が仕切り板１８に近づいてエアバック１７の中の空間を空気充填口５０から変圧器タンクの中に入れる。
（３）変圧器タンクから油が漏れている場合、空気は連通溝４３の中に入らなく、この時横ラック８０が細線３１によって移動ブロック３４を左方へ引き動かし、移動ブロック３４が押し動かしロッド３６によって載置ロッド３５を駆動し左方へ移動させ、プラグ３７が載置ロッド３５とともに左方へ移動し、押し動かしロッド３６力受けブロック３８を左方へ押し動かし、力受けブロック３８が連結ばね６３によってスライドブロック６２を駆動し左方へ移動させ、スライドブロック６２が左方へ移動し、押しブロック５４が上方へ押し動かされ、押しブロック５４が伝動ロッド５５によって載置板５７を上方へ駆動し移動させ、プラグ３７が左方へ移動しコンセント６０の中に差し込まれ、スピーカー５８が警報を出し、油が漏れていることを知らせる。
（４）変圧器タンクから油が漏れていない場合、空気は連通溝４３の中に入って回転溝４４を押し動し、回転溝４４が回転軸４５を反時計回りに駆動し回転させ、第一プーリー６６が回転軸４５とともに回転し、回転軸４５がベルト４７の摩擦によって第二プーリー４９を駆動し回転させ、第二プーリー４９が伝動軸４８によって接触歯車６８を駆動し回転させ、接触歯車６８との噛合によってラック４０が駆動されて上方へ移動し、仕切りロッド３９がラック４０に従って上方へ移動し、第二プーリー４９が上方へ移動してスライドブロック６２の左方への移動を止め、押し動かしロッド３６が左方へ移動する時、連結ばね６３が圧縮され、コンセント６０が上方へ移動しなく、プラグ３７がコンセント６０に差し込まれることができなく、スピーカー５８が警報を出さない。
（５）検査途中、本体１３を下方へ押すことに力を入れていない場合、密封板１１が変圧器タンクを密封し、モーター傘歯車２２が伝動傘歯車２１と噛合できなく、モーター傘歯車２２が空転し、検査失敗になる。
（６）検査完了後、モーター２４を止め、本体１３を放し、伸縮ばね１５が密封板１１を本体１３から離れるように押し動かし、回転トーションバネ４６が回転溝４４を駆動して水平状態に戻らせ、伸縮ばね３３が移動ブロック３４を右方へ押し動かし、復帰ばね５３がスライドブロック６２を右方へ押し動かす。
【００１９】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】      （修正有）【課題】変圧器タンク用油漏れ検査装置を提供する。【解決手段】変圧器タンク用油漏れ検査装置は、本体１３を含む。本体１３の中には作動空間６９が設けられる。作動空間６９の中には昇降機構７０が設けられる。昇降機構７０は本体１３の下側に設置された密封板１１を含む。作動空間６９の左右端壁の中には下方に開口した伸縮溝１６が二つ形成され、伸縮溝１６の中には移動ロッド１２が上下に移動できるように設けられ、移動ロッド１２の下端面には密封板１１が固定され、移動ロッド１２の上端面と伸縮溝１６の上端壁には伸縮ばね１５が連結され、左側の移動ロッド１２の上端面には細紐１４が連結される。密封板１１は、変圧器タンクを密封でき、本検査装置が変圧器タンクを検査することに便利である。【選択図】図１【図１】
0006764097.tif 000002
【図２】
0006764097.tif 000003
【図３】
0006764097.tif 000004
【図４】
0006764097.tif 000005